(57)【要約】【課題】テーブルマットとして使用できることは勿論、手さげ袋としても使用できる多目的テーブルマットを提供する。【解決手段】多目的テーブルマットは、屈曲可能である材料によって形成され且つ平板状に拡げておくことが可能であるマット本体11よりなる。マット本体11に網目形成用切れ目31が所定のパターンで形成されている。網目形成用切れ目31が拡がって網目を形成しながらマット本体11が袋状に屈曲しうるようになされている。【選択図】図１
2007159859.tif 000002
【特許請求の範囲】
【請求項１】
屈曲可能である材料によって形成され且つ平板状に拡げておくことが可能であるマット本体よりなり、マット本体に網目形成用切れ目が所定のパターンで形成されており、網目形成用切れ目が拡がって網目を形成しながらマット本体が袋状に屈曲しうるようになされている多目的テーブルマット。
【請求項２】
マット本体の中央部に、網目形成用切れ目が形成されていない切れ目無し部が存在しており、複数の網目形成用切れ目が、切れ目無し部を取囲み且つ内外方向に間隔をおいて並んだ複数のループ状仮想線上を断続状にのびている、請求項１に記載の多目的テーブルマット。
【請求項３】
平板状マット本体が、平面より見て、方形状に形成されており、マット本体の最外側のループ状仮想線よりも外側に、マット本体の長辺および短辺のいずれか一方に沿ってそれぞれのびた一対の取っ手形成用切れ目が形成されている、請求項２に記載の多目的テーブルマット。
【請求項４】
各ループ状仮想線上の網目形成用切れ目の数が同一であり、内外方向に１つ置きのループ状仮想線上の網目形成用切れ目の断絶部が内外方向にのびた直線上に並んでいる、請求項２または３に記載の多目的テーブルマット。
【請求項５】
マット本体を長辺長さ方向に２分する直線上およびマット本体を短辺長さ方向に２分する直線上には、前記網目形成用切れ目の断絶部がそれぞれ位置させられている、請求項４に記載の多目的テーブルマット。
【請求項６】
各網目形成用切れ目の両端部に、破断防止用半円弧状折返部がそれぞれ形成されている請求項１〜５のいずれか１項に記載の多目的テーブルマット。
【発明の詳細な説明】
【技術分野】
【０００１】
この発明は、例えば、レストラン等において、客が食器をのせたトレーを載せるため、あるいは食器を直接載せるために使用され、使用後に、客が持ち帰って手さげ袋等として使用できる多目的テーブルマットに関する。
【背景技術】
【０００２】
従来、テーブルマットやデスクマットに関しては、その材料に関する提案がいくつかなされている。例えば、特開平８−１１８５６４号公報には、テーブルマットやデスクマットとして使用できる軟質塩化ビニル系樹脂シートが開示されている。特開平８−１８７８２４号公報には、テーブルマットやデスクマットとして使用できる塩化ビニル系樹脂積層シートが開示されている。特開２０００−８５０６１号公報には、テーブルマットやデスクマットとして使用できるエチレン系共重合樹脂シートが開示されている。特開２００２−３６４５３号公報や、特開２００２−３４７１８９号公報には、テーブルマットやデスクマットとして使用できるオレフィン系樹脂シートが開示されている。特開２００３−３０５８１３号公報や、特開２００４−１７４９７７号公報には、テーブルマットやデスクマットとして使用できるオレフィン系多層樹脂シートが開示されている。特開２００２−５９５０１号公報には、テーブルマットやデスクマットとして使用できる不織布材が開示されている。
【０００３】
このように、本来の用途に用いられるテーブルマットやデスクマットの材料については種々と提案されている。しかしながら、本来の用途以外にも使用できるテーブルマットやデスクマットは知られていない。
【０００４】
【特許文献１】特開平８−１１８５６４号公報
【特許文献２】特開平８−１８７８２４号公報
【特許文献３】特開２０００−８５０６１号公報
【特許文献４】特開２００２−３６４５３号公報
【特許文献５】特開２００２−３４７１８９号公報
【特許文献６】特開２００３−３０５８１３号公報
【特許文献７】特開２００４−１７４９７７号公報
【特許文献８】特開２００２−５９５０１号公報
【発明の開示】
【発明が解決しようとする課題】
【０００５】
この発明の目的は、テーブルマットとして使用できることは勿論、それ以外の用途にも使用することができる多目的テーブルマットを提供することにある。
【課題を解決するための手段】
【０００６】
この発明による多目的テーブルマットは、屈曲可能である材料によって形成され且つ平板状に拡げておくことが可能であるマット本体よりなり、マット本体に網目形成用切れ目が所定のパターンで形成されており、網目形成用切れ目が拡がって網目を形成しながらマット本体が袋状に屈曲しうるようになされているものである。
【０００７】
この発明による多目的テーブルマットでは、マット本体を平板状に拡げておくと、テーブルマットとして使用することができ、網目形成用切れ目を拡げてマット本体を袋状に屈曲させると、手さげ袋等として使用できる。したがって、テーブルマットとして使用できることは勿論、それ以外の用途にも使用することができる便利で、興味をもたせるテーブルマットが提供される。
【０００８】
さらに、マット本体の中央部に、網目形成用切れ目が形成されていない切れ目無し部が存在しており、複数の網目形成用切れ目が、切れ目無し部を取囲み且つ内外方向に間隔をおいて並んだ複数のループ状仮想線上を断続状にのびていると、マット本体を袋状に屈曲させた際に、袋の底にあたる部分には網目が無いが、袋の側壁にあたる部分には網目のある袋が提供される。
【０００９】
また、平板状マット本体が、平面より見て、方形状に形成されており、マット本体の最外側のループ状仮想線よりも外側に、マット本体の長辺および短辺のいずれか一方に沿ってそれぞれのびた一対の取っ手形成用切れ目が形成されていると、マット本体を袋状に屈曲させる際に、取っ手形成用切れ目の外側を掴むようにすれば、マット本体の一部を取っ手として利用することができる。
【００１０】
また、各ループ状仮想線上の網目形成用切れ目の数が同一であり、内外方向に１つ置きのループ状仮想線上の網目形成用切れ目の断絶部が内外方向にのびた直線上に並んでいると、網目形成用切れ目を拡げてマット本体を袋状に屈曲させた際に、前記断絶部が、拡げられた網目形成用切れ目により生じる空間を介して縦一列に並び、綺麗な模様を呈することになる。
【００１１】
また、マット本体を長辺長さ方向に２分する直線上およびマット本体を短辺長さ方向に２分する直線上には、前記網目形成用切れ目の断絶部がそれぞれ位置させられていると、前記断絶部がマット本体を等分することとなって、マット本体の形態および強度が保ち易い。
【００１２】
また、各網目形成用切れ目の両端部に、破断防止用半円弧状折返部がそれぞれ形成されていると、網目形成用切れ目からマット本体が不用意に破断する心配が無い。
【発明の効果】
【００１３】
この発明によれば、テーブルマットとして使用できることは勿論、手さげ袋としても使用できる多目的テーブルマットが提供される。
【発明を実施するための最良の形態】
【００１４】
この発明の実施の形態を図面を参照しながらつぎに説明する。
【００１５】
多目的テーブルマットは、マット本体11よりなる。マット本体11は、可撓性または弾性を有する材料、例えば、紙、不織布、プラスチックのような材料でつくられている。図１に、平板状に拡げられているマット本体11が、図２に、袋状に屈曲させられたマット本体11がそれぞれ示されている。
【００１６】
以下、図１に示すマット本体11について、主として説明する。
【００１７】
マット本体11は、横に長い方形平板状のものであって、長辺および短辺を有している。但し、マット本体11の４つの角には丸みが付けられている。
【００１８】
マット本体11には所定パターンの網目形成用切れ目群21が形成されている。網目形成用切れ目群21は、図示しない切り刃の押圧によって打ち抜かれたものである。
【００１９】
マット本体11の中央部には、網目形成用切れ目群21の無い切れ目無し部22が存在している。切れ目無し部22は、マット本体11の全体とほぼ相似状の横長方形をなしている。
【００２０】
網目形成用切れ目群21は、切れ目無し部22の外側に位置させられている。すなわち、切れ目無し部22を取囲み且つ内外方向に間隔をおいて並んだ複数のループ状仮想線（図示されていない）を描いたものとすると、各仮想線上を、複数の網目形成用切れ目31が断続状にのびている。そのループ状仮想線の数は、図示の例では１３である。さらに、各ループ状仮想線上の網目形成用切れ目31の数は、同一であり、図示の例では１０である。したがって、各ループ状仮想線上の網目形成用切れ目31の長さは、内側から外側にかけての仮想線上にあるものほど長くなっている。ここでは、煩雑さを避けるために、最外側および最内側の網目形成用切れ目31についてのみ、符号「３１」を付けてある。各ループ状仮想線上の隣り合う２つの網目形成用切れ目31の間には、網目形成用切れ目31の無い断絶部32が設けられている。また、各網目形成用切れ目31の両端部には、破断防止用半円弧状折返部33がそれぞれ形成されている。
【００２１】
内外隣り合う２つのループ状仮想線上において、一方の仮想線上の隣り合う２つの網目形成用切れ目31の相対する端部は、他方の仮想線上の１つの網目形成用切れ目31の長さの中間部に位置させられている。これにより、内外方向に１つ置きのループ状仮想線上の網目形成用切れ目31の断絶部32は、内外方向にのびた直線41上に並ぶこととなる。その直線41の数（すなわち、線分41の数）は、１つのループ状仮想線上にある網目形成用切れ目31の数である１０の倍となる２０である。それらの直線41のうち、２つの直線（線分）51は、マット本体11を長辺長さ方向に２分する位置に位置させられ、別の２つの直線（線分）61は、マット本体11を短辺長さ方向に２分する位置に位置させられている。
【００２２】
マット本体11の最外側のループ状仮想線よりも外側には、マット本体11の長辺に沿ってそれぞれのびた一対の取っ手形成用切れ目71が形成されている。各取っ手形成用切れ目71の両端部には略三角形状拡幅部72がそれぞれ形成されている。両取っ手形成用切れ目71よりも外側の帯状部分が、一対の取っ手形成部73となされている。
【００２３】
多目的テーブルマットをテーブルマットとして使用する際は、図１に示すように、拡げた状態で図示しないテーブル上に載せればよい。両取っ手形成部73の長さの中央部を掴んで、両取っ手形成部73で挟まれた部分に、収納する物等をおいてこれを押し込むようにして袋状に屈曲させれば、図２に示すように、手さげ袋として使用することができる。この際に、網目形成用切れ目31は拡げられ、網目形成用切れ目31が拡げられることにより形成された空間を介して、切れ目の断絶部32が縦一列に並ぶ。
【００２４】
テーブルマットは、屈曲させても破断ないしはクラックを生じることがない可撓性または弾性を有する種々の材料でつくることができる。例えば、紙、不織布、各種プラスチック材料を用いることができる。
【００２５】
また、テーブルマットの片面又は両面に、模様やロゴを印刷して、レストラン等における宣伝用途に用いることもできる。テーブルマットのサイズを大きくすると、網目形成用切れ目を拡げることにより、より大きなサイズの手さげ袋となる。
【図面の簡単な説明】
【００２６】
【図１】この発明による多目的テーブルマットのテーブルマットとして使用する際の平面図である。
【図２】同多目的テーブルマットの手さげ袋として使用する際の側面図である。
【符号の説明】
【００２７】
11  マット本体
21  網目形成用切れ目群
22  切れ目無し部
31  網目形成用切れ目
32  切れ目の断絶部
33  破断防止用半円弧状折返部
71  取っ手形成用切れ目
73  取っ手形成部
【図１】
2007159859.tif 000003
【図２】
2007159859.tif 000004